(57)【要約】【課題】制御部の処理を複雑にせずに通常再生以上の再生速度で再生が可能な音声録音再生装置を提供する。【解決手段】本発明の音声録音再生装置は、音声符号化データを復号化して再生する録音再生デバイスＤＳＰ８と、ＤＳＰ８に対して送受信する音声符号化データを蓄積し管理する音声バッファ制御部ＡＳＩＣ１１と、ＤＳＰ８からＡＳＩＣ１１へデータを送信する録音伝送路９と、ＡＳＩＣ１１からＤＳＰ８へデータを送信する再生伝送路１０と、ＤＳＰ８とＡＳＩＣ１１との動作を制御する制御部ＣＰＵ１２とを備え、通常再生以上の再生速度で再生をする場合に、ＣＰＵ１２を介さずにＤＳＰ８からＡＳＩＣ１１へ録音伝送路９にのせて再生指示を示す制御コマンドを要求として送りＡＳＩＣ１１からＤＳＰ８へ再生伝送路１０により再生実行指示を示す制御コマンドと再生データとを応答として送るように構成したものである。【選択図】図１
2006172564.tif 000002
【特許請求の範囲】
【請求項１】
音声符号化データを復号化して再生する録音再生デバイスと、この録音再生デバイスに対して送受信する音声符号化データを蓄積し管理する音声バッファ制御部と、前記録音再生デバイスから前記音声バッファ制御部へデータを送信する録音伝送路と、前記音声バッファ制御部から前記録音再生デバイスへデータを送信する再生伝送路と、前記録音再生デバイスと前記音声バッファ制御部との動作を制御する制御部とを備え、通常再生以上の再生速度で再生をする場合に、前記制御部を介さずに前記録音再生デバイスから前記音声バッファ制御部へ前記録音伝送路にのせて再生指示を示す制御コマンドを要求として送り前記音声バッファ制御部から前記録音再生デバイスへ前記再生伝送路により再生実行指示を示す制御コマンドと再生データとを応答として送るように構成した音声録音再生装置。
【請求項２】
音声符号化データを復号化して再生する録音再生デバイスと、この録音再生デバイスに対して送受信する音声符号化データを蓄積し管理する音声バッファ制御部と、前記録音再生デバイスから前記音声バッファ制御部へデータを送信する録音伝送路と、前記音声バッファ制御部から前記録音再生デバイスへデータを送信する再生伝送路と、前記録音再生デバイスと前記音声バッファ制御部との動作を制御する制御部とを備え、通常再生以上の再生速度で再生をする場合に、前記制御部を介さずに前記録音再生デバイスから前記音声バッファ制御部へ前記録音伝送路にのせて再生指示を示す制御コマンドを要求として送り前記音声バッファ制御部から前記録音再生デバイスへ前記再生伝送路により再生実行指示を示す制御コマンドと再生データとを応答として送る音声録音再生方法。
【発明の詳細な説明】
【技術分野】
【０００１】
本発明は、マイクロホンより入力したアナログ信号をディジタル信号に変換してメモリなどの記憶媒体に録音し、その録音した信号をアナログ信号に変換してスピーカで再生できるような音声録音再生装置および音声録音再生方法に係り、特に、通常再生以上の再生速度で再生をする音声録音再生装置および音声録音再生方法に関する。
【背景技術】
【０００２】
従来の通常再生以上の再生速度で再生をする音声録音再生装置は、特許文献１に示すように、制御手段としての主制御回路である制御部が記憶媒体からデータを読み取り録音再生デバイスのＤＳＰに時間軸圧縮などの指示を出してデータを転送することにより再生時に再生速度を切り換え通常再生以上の再生速度で再生していた。
【特許文献１】特開平９−３１１６９５号公報
【発明の開示】
【発明が解決しようとする課題】
【０００３】
しかしながら上記従来の技術では、記録媒体に所定の時間長さであるフレーム単位で記録された音声符号化データを所定のフレーム間隔毎に読み出し、読み出したフレーム音声符号化データと、このフレーム音声符号化データの後に続く複数の音声フレーム符号化データとを用いて時間軸圧縮処理を施す一連の制御を主制御回路である制御部が逐一しなければならないため制御部の処理が複雑になり対応チャンネル数を増やすなど機能を拡張させようとすると処理能力が不足するという課題があった。
【０００４】
本発明はこのような従来の課題を解決するものであり、制御部の処理を複雑にせずに通常再生以上の再生速度で再生が可能な音声録音再生装置を提供することを目的とする。
【課題を解決するための手段】
【０００５】
上記目的を達成するために本発明の音声録音再生装置は、音声符号化データを復号化して再生する録音再生デバイスと、この録音再生デバイスに対して送受信する音声符号化データを蓄積し管理する音声バッファ制御部と、前記録音再生デバイスから前記音声バッファ制御部へデータを送信する録音伝送路と、前記音声バッファ制御部から前記録音再生デバイスへデータを送信する再生伝送路と、前記録音再生デバイスと前記音声バッファ制御部との動作を制御する制御部とを備え、通常再生以上の再生速度で再生をする場合に、前記制御部を介さずに前記録音再生デバイスから前記音声バッファ制御部へ前記録音伝送路にのせて再生指示を示す制御コマンドを要求として送り前記音声バッファ制御部から前記録音再生デバイスへ前記再生伝送路により再生実行指示を示す制御コマンドと再生データとを応答として送るように構成したものである。
【０００６】
これにより、制御部を介さずに録音再生デバイスと音声バッファ制御部との間で制御情報のやり取りを行うことで制御部の処理を複雑にせずに通常再生以上の再生速度で再生ができるようになる。
【発明の効果】
【０００７】
以上のように本発明の音声録音再生装置は、制御部を介さずに録音再生デバイスと音声バッファ制御部との間で制御情報のやり取りを行うことで制御部の処理を複雑にせずに通常再生以上の再生速度で再生ができるようになるため音声録音再生装置の信頼性および拡張性が向上する。
【発明を実施するための最良の形態】
【０００８】
本発明は、音声符号化データを復号化して再生する録音再生デバイスと、この録音再生デバイスに対して送受信する音声符号化データを蓄積し管理する音声バッファ制御部と、前記録音再生デバイスから前記音声バッファ制御部へデータを送信する録音伝送路と、前記音声バッファ制御部から前記録音再生デバイスへデータを送信する再生伝送路と、前記録音再生デバイスと前記音声バッファ制御部との動作を制御する制御部とを備え、通常再生以上の再生速度で再生をする場合に、前記制御部を介さずに前記録音再生デバイスから前記音声バッファ制御部へ前記録音伝送路にのせて再生指示を示す制御コマンドを要求として送り前記音声バッファ制御部から前記録音再生デバイスへ前記再生伝送路により再生実行指示を示す制御コマンドと再生データとを応答として送るように構成した音声録音再生装置である。
【０００９】
これにより制御部を介さずに録音再生デバイスと音声バッファ制御部との間で制御情報のやり取りを行うことで制御部の処理を複雑にせずに通常再生以上の再生速度で再生ができるようになるため音声録音再生装置の信頼性および拡張性が向上する。
【００１０】
また、本発明は、音声符号化データを復号化して再生する録音再生デバイスと、この録音再生デバイスに対して送受信する音声符号化データを蓄積し管理する音声バッファ制御部と、前記録音再生デバイスから前記音声バッファ制御部へデータを送信する録音伝送路と、前記音声バッファ制御部から前記録音再生デバイスへデータを送信する再生伝送路と、前記録音再生デバイスと前記音声バッファ制御部との動作を制御する制御部とを備え、通常再生以上の再生速度で再生をする場合に、前記制御部を介さずに前記録音再生デバイスから前記音声バッファ制御部へ前記録音伝送路にのせて再生指示を示す制御コマンドを要求として送り前記音声バッファ制御部から前記録音再生デバイスへ前記再生伝送路により再生実行指示を示す制御コマンドと再生データとを応答として送る音声録音再生方法である。
【００１１】
これにより制御部を介さずに録音再生デバイスと音声バッファ制御部との間で制御情報のやり取りを行うことで制御部の処理を複雑にせずに通常再生以上の再生速度で再生ができるようになるため音声録音再生方法の信頼性および拡張性が向上する。
【実施例】
【００１２】
以下、本発明の実施の形態に係る音声録音再生装置について図面を参照しながら説明する。
【００１３】
（実施の形態１）
図１は、実施の形態１の音声録音再生装置のブロック図である。同図において、マイクロホン１は、増幅器２と低域通過フィルタ（ＬＰＦ）３とアナログ／ディジタル（Ａ／Ｄ）変換器４とを介して音声符号化データを復号化して再生する録音再生デバイスであるディジタル信号処理部（以下ＤＳＰと呼ぶ）８に接続されている。また、スピーカ５は増幅器６とディジタル／アナログ（Ｄ／Ａ）変換器７とを介してＤＳＰ８に接続されている。
【００１４】
また、ＤＳＰ８はＤＳＰ８から音声バッファ制御部である音声バッファ制御回路（以下ＡＳＩＣと呼ぶ）１１へデータを送信する録音伝送路９およびＡＳＩＣ１１からＤＳＰ８へデータを送信する再生伝送路１０を介してＡＳＩＣ１１に接続されている。また、ＤＳＰ８とＡＳＩＣ１１はＤＳＰ８とＡＳＩＣ１１との動作を制御する制御部である主制御回路１２（以下ＣＰＵと呼ぶ）に接続されている。またメモリ１３はＣＰＵ１２とＡＳＩＣ１１に接続されている。また録音音声を記録するハードディスクＨＤＤ１４はＣＰＵ１２に接続されている。またスイッチ１５は録音や再生などに意味付けられた信号の入力用にＣＰＵ１２に接続されている。
【００１５】
図２は図１で示した音声バッファ制御部であるＡＳＩＣ１１の構成を示す図である。録音伝送路９および再生伝送路１０とのインタフェースを司るシリアルインタフェース部２０１、録音伝送路９を介して受信する再生指示を示す制御コマンドのデータ列を制御コマンドＣｈ０１＿ｒｃｍｄと音声データＣｈ０１＿ｒｄａｔａとの対のデータ列として蓄積したり、再生伝送路１０を介して送信する再生実行指示を示す制御コマンドと音声データとの対のデータ列をＣｈ０１＿ｓｃｍｄと音声データＣｈ０１＿ｓｄａｔａとの対のデータ列として蓄積するチャネルバッファ部２０２、メモリ１３とのインタフェースを司るメモリインタフェース部２０４、それらを制御する制御部２０３より構成される。
【００１６】
制御部２０３にはＣＰＵ１２とのインタフェースのためにレジスタＲｅｇを持つ。なおチャンネルバッファ部２０２において示したＣｈ０１などは制御チャンネルを表し、ここでは２４チャンネルまで対応している。
【００１７】
図３は図２で示したチャネルバッファ部のデータ列が録音伝送路９および再生伝送路１０を介して送受信される場合のデータ列の構成を示す図である。３０１はチャンネル１の受信制御コマンドである。続く３０２はチャンネル１の受信データである。
【００１８】
チャンネル１を見た場合制御コマンドとデータは対となる構成を取る。同様に続く３０３はチャンネル２の受信制御コマンドで、続く３０４はチャンネル２の受信データである。ここでは２４チャンネルまでの複数チャネルを同時に受信している。同様に３０５はチャンネル１の送信コマンドであり続く３０６はチャンネル１の送信データであってチャンネル１を見た場合制御コマンドとデータは対となる構成を取る。こちらも２４チャンネルまでの複数チャネルを同時に送信している。
【００１９】
次に、上記の音声記録再生装置の動作、言い換えれば音声録音再生方法を図１、図２、図３を参照しながら、図４および図５のフローチャートに基づいて説明する。
【００２０】
まず、図４のフローチャートに基づき音声の録音について説明する。スイッチ１５の操作により音声の録音指示が意味付けられた信号入力がＣＰＵ１２に入力されるとＣＰＵ１２はＤＳＰ８に録音指示があったことを通知する（ステップＳ４−１）。
【００２１】
ＤＳＰ８は、マイクロホン１より得られ増幅器２により増幅され低域通過フィルタ（ＬＰＦ）３を通された後にアナログ／ディジタル（Ａ／Ｄ）変換器４によってアナログ信号から変換されたデジタル信号を入力する（ステップＳ４−２）。
【００２２】
ＤＳＰ８は入力されたディジタル信号を符号化圧縮して音声符号化データにして、録音開始のフラグを立てた制御コマンドとともにそれらのデータ列を録音伝送路９を介してＡＳＩＣ９に送る（ステップＳ４−３）。
【００２３】
ＡＳＩＣ９はＤＳＰ８から送られたデータ列中の録音開始のフラグが立てられた制御コマンドを確認した後（ステップＳ４−４）、供給された音声符号化データをメモリ１３に蓄積する（ステップＳ４−５）。ＡＳＩＣ９はメモリ１３が一杯になったらＣＰＵ１２に通知する。
【００２４】
ＣＰＵ１２はメモリ１３に蓄積された音声符号化データをＨＤＤ１４に記録する（ステップＳ４−６）。
【００２５】
次に、図５のフローチャートに基づき音声の再生について説明する。スイッチ１５の操作により音声の再生指示が意味付けられた信号入力がＣＰＵ１２に入力されるとＣＰＵ１２はＨＤＤ１４に記録されている音声符号化データを読み出してメモリ１３に蓄積するとともにＤＳＰ８に再生指示があったことおよび蓄積情報を通知する（ステップＳ５−１）。
【００２６】
ＤＳＰ８は再生開始のフラグとデータ有効／無効フラグ（図６を使用して後述）を立てた制御コマンドを録音伝送路９を介してＡＳＩＣ９に送る（ステップＳ５−２）。
【００２７】
ＡＳＩＣ９はＤＳＰ８から送られた再生開始のフラグが立てられた制御コマンドを確認した後（ステップＳ５−３）、メモリ１３に蓄積された音声符号化データをチャンネルバッファ部２０２のデータ列に読みこみ（ステップＳ５−４）、再生開始応答のフラグとデータ有効／無効フラグを立てた制御コマンドを再生伝送路１０を介してＤＳＰ８に送る（ステップＳ５−５）。
【００２８】
ＤＳＰ８は再生開始応答のフラグが立てられた制御コマンドを確認した後（ステップＳ５−６）、データ有効フラグの立てられたデータ列の音声符号化データを復号化伸長し音声データにしてから、１フレーム長の音声データであればそのままで１フレーム長以上の音声データであれば一般に知られた圧縮処理をして１フレーム長の音声データにして（ステップＳ５−７）ディジタル／アナログ（Ｄ／Ａ）変換器７に送りアナログ信号に変換され、増幅器６で増幅された後、スピーカ５に出力される（ステップＳ５−８）。
【００２９】
上記で説明した制御コマンドのデータ有効／無効フラグは、図６（ａ）に示すように制御コマンド６０１内のビットとしての構成を取り制御コマンドと対になったデータ部分のデータの有効性を表す。
【００３０】
例えば図６（ｂ）に示すようにＤＳＰ８が単位時間に倍速までの再生を行うのに必要な音声データを一次的に蓄えるために２ｎフレーム分の内部バッファ６０２を持っている場合に倍速再生を行うにはＤＳＰ８は図６（ｃ）の内部バッファ使用例６０３のように２ｎフレームの音声データが必要であるため２ｎフレームまでの制御コマンドの有効／無効フラグをデータ有効である１に設定してＡＳＩＣ１１に送信するとＡＳＩＣ１１からは制御コマンドの有効／無効フラグがデータ有効の１に設定されているフレームの制御コマンドと対の関係にあるデータ部分に音声データが格納されてＤＳＰ８に送信されるため、ＤＳＰ８は２ｎフレーム分の音声データを得ることができる。
【００３１】
また、通常再生を行うには図６（ｄ）の内部バッファ使用例６０４のようにｎフレームの音声データがあればいいのでｎフレームまでの制御コマンドの有効／無効フラグをデータ有効である１に設定してｎ＋１〜２ｎフレームの制御コマンドの有効／無効フラグをデータ無効である０に設定してＡＳＩＣ１１に送信するとＡＳＩＣ１１からは制御コマンドの有効／無効フラグが有効の１に設定されているフレームの制御コマンドと対の関係にあるデータ部分に音声データが格納され、制御コマンドの有効／無効フラグが無効の０に設定されているフレームの制御コマンドと対の関係にあるデータ部分には何も格納しないでＤＳＰ８に送信されるため、ＤＳＰ８はｎフレーム分の音声データを得ることができる。
【００３２】
これによりＤＳＰ８は再生速度に応じて必要なフレーム数の音声データを得ることができるため１フレーム長の音声データの再生に対して１フレーム長の音声データであればそのままで１フレーム長以上の音声データであれば一般に知られた圧縮処理をして１フレーム長の音声データにして再生することで可変な速度で再生する。
【００３３】
以上説明したように、制御部を介さずに録音再生デバイスと音声バッファ制御部との間で制御情報のやり取りを行うことで制御部の処理を複雑にせずに通常再生以上の再生速度で再生ができるようになるため音声録音再生装置の信頼性および拡張性が向上する。
【産業上の利用可能性】
【００３４】
以上のように本発明は、制御部を介さずに録音再生デバイスと音声バッファ制御部との間で制御情報のやり取りを行うことで制御部の処理を複雑にせずに通常再生以上の再生速度で再生ができるようになるため信頼性および拡張性を高めた音声録音再生装置として有用である。
【図面の簡単な説明】
【００３５】
【図１】本発明の実施の形態１に係る音声録音再生装置の構成を説明する図
【図２】音声バッファ制御部の構成を説明する図
【図３】チャネルバッファ部のデータ列の構成を説明する図
【図４】録音動作を説明するフローチャート
【図５】再生動作を説明するフローチャート
【図６】（ａ）はデータ有効／無効フラグを説明する図、（ｂ）はデータ有効／無効フラグの使用例を説明する図、（ｃ）は同使用例を説明する図、（ｄ）は同使用例を説明する図
【符号の説明】
【００３６】
１    マイクロホン
２    増幅器
３    低域通過フィルタ（ＬＰＦ）
４    アナログ／ディジタル（Ａ／Ｄ）変換器
５    スピーカ
６    増幅器
７    ディジタル／アナログ（Ｄ／Ａ）変換器
８    ディジタル信号処理部（ＤＳＰ）
９    録音伝送路
１０    再生伝送路
１１    音声バッファ制御回路（ＡＳＩＣ）
１２    主制御回路（ＣＰＵ）
１３    メモリ
１４    ハードディスク（ＨＤＤ）
１５    スイッチ
２０１    シリアルインタフェース部
２０２    チャネルバッファ部
２０３    制御部
２０４    メモリインタフェース部
３０１    Ｃｈ１の受信制御コマンド
３０２    Ｃｈ１の受信音声データ
３０３    Ｃｈ２の受信制御コマンド
３０４    Ｃｈ２の受信音声データ
３０５    Ｃｈ１の送信制御コマンド
３０６    Ｃｈ１の送信音声データ
６０１    制御コマンド
６０２    内部バッファ
６０３，６０４    内部バッファ使用例
【図１】
2006172564.tif 000003
【図２】
2006172564.tif 000004
【図３】
2006172564.tif 000005
【図４】
2006172564.tif 000006
【図５】
2006172564.tif 000007
【図６】
2006172564.tif 000008